(57)【特許請求の範囲】
【請求項１】
互いに交差する第１辺及び第２辺を含む第１携帯装置、互いに交差する第３辺及び第４辺を含み前記第４辺は前記第２辺よりも短い第２携帯装置、を択一的に接続可能なコネクタと、
前記コネクタに接続された前記第１携帯装置の前記第１辺側を支持する第１支持面と、
前記コネクタに接続された前記第２携帯装置の前記第３辺側を支持し、前記第１支持面よりも水平面に対する勾配が大きい第２支持面と、を備え、
前記コネクタは、前記第１及び第２支持面の境界に設けられている、支持装置。
【請求項２】
互いに交差する第１辺及び第２辺を含む第１携帯装置、互いに交差する第３辺及び第４辺を含み前記第４辺は前記第２辺よりも短い第２携帯装置、を択一的に接続可能なコネクタと、
前記コネクタに接続された前記第１携帯装置の前記第１辺側を支持する第１支持面と、
前記コネクタに接続された前記第２携帯装置の前記第３辺側を支持し、前記第１支持面よりも水平面に対する勾配が大きい第２支持面と、
前記第２携帯装置を前記第２支持面へ案内すると共に、前記第１携帯装置が前記第２支持面に支持されることを規制するガイド部と、を備えた支持装置。
【請求項３】
互いに交差する第１辺及び第２辺を含む第１携帯装置、互いに交差する第３辺及び第４辺を含み前記第４辺は前記第２辺よりも短い第２携帯装置、を択一的に接続可能なコネクタと、
前記コネクタに接続された前記第１携帯装置の前記第１辺側を支持する第１支持面と、
前記コネクタに接続された前記第２携帯装置の前記第３辺側を支持し、前記第１支持面よりも水平面に対する勾配が大きい第２支持面と、を備え、
前記第２支持面は、前記第１支持面を挟む第１及び第２領域を含む、支持装置。
【発明の詳細な説明】
【技術分野】
【０００１】
本発明は、支持装置に関する。
【背景技術】
【０００２】
携帯装置に接続して携帯装置の機能を拡張したり又は電力を供給することができる支持装置が知られている。特許文献１には、このような支持装置に関する技術が開示されている。
【先行技術文献】
【特許文献】
【０００３】
【特許文献１】特開平７−３１９５８２号公報
【発明の概要】
【発明が解決しようとする課題】
【０００４】
支持装置は、携帯装置の形状や大きさに応じて個別に設計されて製造される。即ち、携帯装置の種類の数だけ、専用の支持装置が製造される。このため、支持装置の製造コストが増大する。
【０００５】
本発明は、複数種類の携帯装置に共通に使用可能な支持装置を提供することを目的とする。
【課題を解決するための手段】
【０００６】
本明細書に開示の支持装置は、互いに交差する第１辺及び第２辺を含む第１携帯装置、互いに交差する第３辺及び第４辺を含み前記第４辺は前記第２辺よりも短い第２携帯装置、を択一的に接続可能なコネクタと、前記コネクタに接続された前記第１携帯装置の前記第１辺側を支持する第１支持面と、前記コネクタに接続された前記第２携帯装置の前記第３辺側を支持し、前記第１支持面よりも水平面に対する勾配が大きい第２支持面と、を備え、前記コネクタは、前記第１及び第２支持面の境界に設けられている。また、本明細書に開示の支持装置は、互いに交差する第１辺及び第２辺を含む第１携帯装置、互いに交差する第３辺及び第４辺を含み前記第４辺は前記第２辺よりも短い第２携帯装置、を択一的に接続可能なコネクタと、前記コネクタに接続された前記第１携帯装置の前記第１辺側を支持する第１支持面と、前記コネクタに接続された前記第２携帯装置の前記第３辺側を支持し、前記第１支持面よりも水平面に対する勾配が大きい第２支持面と、前記第２携帯装置を前記第２支持面へ案内すると共に、前記第１携帯装置が前記第２支持面に支持されることを規制するガイド部と、を備えている。また、本明細書に開示の支持装置は、互いに交差する第１辺及び第２辺を含む第１携帯装置、互いに交差する第３辺及び第４辺を含み前記第４辺は前記第２辺よりも短い第２携帯装置、を択一的に接続可能なコネクタと、前記コネクタに接続された前記第１携帯装置の前記第１辺側を支持する第１支持面と、前記コネクタに接続された前記第２携帯装置の前記第３辺側を支持し、前記第１支持面よりも水平面に対する勾配が大きい第２支持面と、を備え、前記第２支持面は、前記第１支持面を挟む第１及び第２領域を含む。
【発明の効果】
【０００７】
複数種類の携帯装置に共通に使用可能な支持装置を提供できる。
【図面の簡単な説明】
【０００８】
【図１】図１は、ポートリプリケータの斜視図である。
【図２】図２は、ポートリプリケータの部分拡大図である。
【図３】図３は、コンピュータをポートリプリケータに接続する場合の斜視図である。
【図４】図４は、コンピュータが接続されたポートリプリケータの正面図である。
【図５】図５は、図４のＡ−Ａ断面図である。
【図６】図６は、ポートリプリケータに接続されたコンピュータの使用態様を示した図である。
【図７】図７は、コンピュータが接続されたポートリプリケータの正面図である。
【図８】図８は、図７のＢ−Ｂ断面図である。
【発明を実施するための形態】
【０００９】
本実施例では、支持装置の一例としてポートリプリケータ５０を例に説明する。図１は、ポートリプリケータ５０の斜視図である。ポートリプリケータ５０は、後述する、２つのノート型コンピュータを支持可能である。ノート型コンピュータは、携帯装置の一例である。図１は、複数のコネクタが接続されたポートリプリケータ５０を示している。ポートリプリケータ５０は、例えばシリアルポートやパラレルポート、ＰＳ／２ポート、ＵＳＢポート、外部ディスプレイ出力コネクタ等の端子が設けられている。この複数の端子に複数のコネクタがそれぞれ接続されている。複数の端子は、ポートリプリケータ５０の後方及び右側の側面に設けられている。ポートリプリケータ５０には、ノート型コンピュータを接続するコネクタＣが形成されている。また、コネクタＣにより接続されたノート型コンピュータへの電力を供給又は遮断するためのスイッチＳが設けられている。
【００１０】
ポートリプリケータ５０の正面側には、詳しくは後述するが２種類のノート型コンピュータ（以下、コンピュータと称する）１、１ａをそれぞれ支持する支持面６０、６０ａが形成されている。コンピュータ１、１ａは、第１及び第２携帯装置の一例である。詳しくは後述するが支持面６０、６０ａは、勾配が異なっている。支持面６０ａは、支持面６０を挟むようにして互いに分離した領域６０ａ１、６０ａ２を含む。領域６０ａ１はポートリプリケータ５０の前方側に形成され、領域６０ａ２はポートリプリケータ５０の後方側に形成されている。コンピュータ１がコネクタＣに接続された場合には、コンピュータ１は支持面６０により支持される。コンピュータ１ａがコネクタＣに接続された場合には、コンピュータ１ａは支持面６０ａにより支持される。支持面６０、６０ａは、第１及び第２支持面の一例である。領域６０ａ１、６０ａ２は、第１及び第２領域の一例である。
【００１１】
支持面６０には、コンピュータ１の脚部を収納するための凹部６５が２つ設けられている。同様に、支持面６０ａの領域６０ａ２には、コンピュータ１ａの脚部を収納するための凹部６５ａが２つ設けられている。コンピュータ１をポートリプリケータ５０に装着する際にコンピュータ１を支持面６０に案内するための角部５３、突片部５４が設けられている。角部５３は、コンピュータ１の角部に対応している。突片部５４は、ポートリプリケータ５０の左側に形成されコンピュータ１の側辺に対応している。同様に、コンピュータ１ａを支持面６０ａに案内するための突壁部５１ａ、突片部５３ａ、５４ａが設けられている。突片部５４ａは、突片部５４と同様にポートリプリケータ５０の左側であり突片部５４よりも後方側に設けられている。突片部５３ａは、角部５３よりも内側にあり後方側に設けられている。
【００１２】
図２は、ポートリプリケータ５０の部分拡大図である。領域６０ａ１の勾配は、支持面６０よりも大きい。また、領域６０ａ１、６０ａ２の勾配は同じである。領域６０ａ１は、支持面６０よりも低い位置に形成されている。領域６０ａ２は、支持面６０よりも高い位置に形成されている。
【００１３】
図３は、コンピュータ１をポートリプリケータ５０に接続する場合の斜視図である。図４は、コンピュータ１が接続されたポートリプリケータ５０の正面図である。図５は、図４のＡ−Ａ断面図である。図６は、ポートリプリケータ５０に接続されたコンピュータ１の使用態様を示した図である。コンピュータ１は、ヒンジＨにより開閉可能に連結された筐体１０、２０を含む。筐体１０は、略矩形状であり、４つの辺１１〜１４を含む。辺１１、１２は対向し長さが同じである。辺１３、１４は対向し長さが同じである。辺１３、１４は、辺１１、１２に交差、詳細には直交している。図６に示すように、筐体１０にはキーボード部Ｋ、筐体２０にはディスプレイ部Ｄが設けられている。図５に示すように、筐体１０の底面側には、ポートリプリケータ５０のコネクタＣに接続されるコネクタＣ１が設けられている。筐体１０の底面には、脚部１５が設けられている。
【００１４】
図７は、コンピュータ１ａが接続されたポートリプリケータ５０の正面図である。図８は、図７のＢ−Ｂ断面図である。図７、８に示すように、コンピュータ１ａも、筐体１０ａ、２０ａ、脚部１５ａ、ヒンジＨａ、キーボード部Ｋａ、ディスプレイ部Ｄａ、コネクタＣ１ａ、辺１１ａ〜１４ａを含む。図４〜８に示すように、ポートリプリケータ５０は、コンピュータ１、１ａを部分的に支持する。図５、８には、ポートリプリケータ５０を配置した水平面ＳＬを点線で示している。
【００１５】
コンピュータ１、１ａの違いについて説明する。コンピュータ１は、コンピュータ１ａよりも大きい。各辺１１、１３は、各辺１１ａ、１３ａよりも長い。コンピュータ１のディスプレイ部Ｄのサイズは１７インチであり、コンピュータ１ａのディスプレイ部Ｄａのサイズは１５インチであるがこの大きさに限定されない。図５、８に示すように、コンピュータ１のコネクタＣ１から辺１１までの距離は、コンピュータ１ａのコネクタＣ１ａから辺１１ａまでの距離よりも短い。また、コネクタＣ１から辺１２までの距離は、コネクタＣ１ａから辺１２ａまでの距離よりも長い。即ち、ポートリプリケータ５０から突出するコンピュータ１の各辺１３、１４の長さは、ポートリプリケータ５０から突出するコンピュータ１ａの各辺１３ａ、１４ａの長さよりも長い。コンピュータ１の辺１３、１４の長さとコンピュータ１ａの辺１３ａ、１４ａの長さの違いを考慮して、支持面６０、６０ａは勾配が異なっている。
【００１６】
図５に示すように、コンピュータ１のコネクタＣ１がポートリプリケータ５０のコネクタＣに接続された状態では、コンピュータ１の辺１１側の筐体１０の底面が支持面６０により支持される。また、辺１２側の脚部１５はポートリプリケータ５０が置かれた水平面ＳＬに当接する。同様に、図８に示すように、コンピュータ１ａのコネクタＣ１ａがポートリプリケータ５０のコネクタＣに接続された状態では、コンピュータ１の辺１１ａ側の筐体１０ａの底面が支持面６０ａにより支持される。また、辺１２ａ側の脚部１５ａは水平面ＳＬに当接する。図５には、支持面６０を通過する仮想線Ｌと、ポートリプリケータ５０が置かれた水平面の水平面ＳＬとを示している。同様に、図８には、支持面６０ａを通過する仮想線Ｌａを示している。仮想線Ｌと水平面ＳＬとの間の角度Ａは、仮想線Ｌａと水平面ＳＬとの角度Ａａよりも小さい。
【００１７】
このように支持面６０、６０ａの勾配が異なることにより、ポートリプリケータ５０は大きさの異なる２種類のコンピュータ１、１ａを部分的に支持することができる。具体的には、ポートリプリケータ５０からの突出量が小さいコンピュータ１ａを支持する支持面６０ａの勾配の方が、ポートリプリケータ５０からの突出量が大きいコンピュータ１を支持する支持面６０の勾配よりも大きい。これにより、コンピュータ１、１ａのそれぞれに対応するポートリプリケータを個別に製造する必要はなく、ポートリプリケータ５０をコンピュータ１、１ａに対して共用できる。これにより、ポートリプリケータ５０の製造コストが低減される。
【００１８】
例えば、ポートリプリケータ５０にコンピュータ１を支持する単一の支持面のみを設けてこの支持面でコンピュータ１ａを支持する場合に、コンピュータ１ａの筐体１０の辺１１ａ側が水平面ＳＬから浮き上がるおそれがある。コンピュータ１ａの辺１３ａの長さが、コンピュータ１の辺１３よりも短いからである。この場合、コンピュータ１ａを安定して支持することができない。本実施例の場合、勾配の異なる支持面６０、６０ａを設けることによって、ポートリプリケータ５０は２種類のコンピュータ１、１ａを支持することができる。
【００１９】
また、例えば、ポートリプリケータ５０にコンピュータ１を支持する単一の支持面のみを設けてコンピュータ１ａを支持する場合、以下のようにすることが考えられる。コンピュータ１のコネクタＣ１から辺１１までの距離とコンピュータ１ａのコネクタＣ１ａから辺１１ａまでの距離とが同じになるように、コネクタＣ１、Ｃ１ａの位置を設定することが考えられる。しかしながら、実際には、コンピュータ１、１ａの内部には多数の部品が配置されているため、コネクタＣ１、Ｃ１ａをこのように自由な位置に設定することは困難である。本実施例のように、コンピュータ１、１ａをそれぞれ支持する支持面６０、６０ａの勾配を変更することによって、２つのコンピュータ１、１ａをポートリプリケータ５０により支持する可能としている。
【００２０】
また、コネクタＣは、支持面６０、６０ａの境界付近、詳細には支持面６０と領域６０ａ１の境界付近に設けられている。これにより、支持面６０で支持されるコンピュータ１、６０ａで支持されるコンピュータ１ａをコネクタＣに択一的に接続することができる。このようにコネクタＣを共用しているので、コンピュータ１、１ａのそれぞれに対応するコネクタを設けるひつようはない。このため、ポートリプリケータ５０の構造の簡素化が維持されて、コストの増大が抑制されている。
【００２１】
尚、ポートリプリケータ５０の長手方向での支持面６０、６０ａの長さの相違は、辺１１、１１ａの長さの相違を考慮して設定されている。このため、ポートリプリケータ５０の長手方向での支持面６０の長さは支持面６０ａの長さよりも長い。
【００２２】
図４に示すように、角部５３は、コンピュータ１の辺１１、１３により画定される角部に対向しており、突片部５４は筐体１０の辺１４に対向している。図７に示すように、突片部５３ａはコンピュータ１ａの辺１３ａに対向し、突片部５４ａは辺１４ａに対向し、突壁部５１ａは辺１１ａに対向している。例えば、コンピュータ１を領域６０ａ２上に配置しようとした場合、突片部５３ａがコンピュータ１の筐体１０に干渉してコンピュータ１を領域６０ａ２に配置することはできない。このため、誤ってコンピュータ１ａが領域６０ａ２上に配置されることが防止されている。これにより、例えば、誤ってコンピュータ１を領域６０ａ２上に配置しようとして、コネクタＣが筐体１０の底面に当接してコネクタＣが破損することが防止される。突片部５３ａは、ガイド部の一例である。
【００２３】
また、上述したように、支持面６０ａは、互いに分離した２つの領域６０ａ１、６０ａ２を含む。これにより、コンピュータ１ａを支持する支持面６０ａの面積を稼ぐことができ、コンピュータ１ａを安定して支持することができる。尚、コンピュータ１ａが支持面６０ａにより支持されている場合には、コンピュータ１ａは支持面６０には接触しない。コンピュータ１が支持面６０により支持されている場合には、コンピュータ１は支持面６０ａには接触しない。
【００２４】
また、図１、３に示すように、コネクタＣの近傍にはガイドピンＰが設けられている。コンピュータ１、１ａにはこのガイドピンＰに対応するように穴部が設けられている。ガイドピンＰがコンピュータ１又はコンピュータ１ａの穴部に挿入されることにより、コンピュータ１又はコンピュータ１ａをコネクタＣに案内する。これにより、コネクタＣへのコンピュータ１、１ａの接続作業性が容易になる。
【００２５】
図１〜３に示すように、支持面６０や領域６０ａ１には、接続部Ｇ１〜Ｇ３が設けられている。接続部Ｇ１〜Ｇ３は、ポートリプリケータ５０に形成された開口部から出没可能に設けられている。接続部Ｇ１〜Ｇ３は、金属製である。筐体１０、１０ａ内にはグランド電位の板金が設けられている。コネクタＣにコンピュータ１、１ａを接続すると、接続部Ｇ１〜Ｇ３の少なくとも一つが筐体１０、１０ａ内に設けられたグランド電位の板金に導通接続する。
【００２６】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２７】
上記実施例において、携帯装置の一例としてノート型コンピュータを例に説明したがそれ以外であってもよい。携帯装置は、例えばタブレット型コンピュータ、携帯電話、携帯テレビ、電子辞書、ＰＤＡ、ゲーム機、カメラ、音楽プレイヤー、ナビゲーション装置等の携帯装置であってもよい。
【００２８】
上記実施例において、支持装置の一例としてポートリプリケータを例に説明したがそれ以外であってもよい。支持装置は、例えば携帯装置に接続可能な充電器や、携帯装置に商業電力を供給するためのアダプタであってもよい。
【００２９】
上記実施例において、支持面６０ａは２つの領域に分離されているが、必ずしもこれに限定されない。例えば、支持面６０ａは、領域６０ａ１、６０ａ２の何れか一方のみを有していてもよい。
【００３０】
上記実施例において、携帯装置として大きさが異なる２つのノート型コンピュータを例に説明したがこれに限定されない。例えば、支持装置は、携帯電話と携帯電話以外の携帯装置（例えばタブレット型コンピュータ）とに共通に使用可能なものであってもよい。
【符号の説明】
【００３１】
１、１ａ  ノート型コンピュータ（携帯装置）
１０、２０  筐体
１１〜１４、１１ａ〜１４ａ  辺
５０  ポートリプリケータ
５３ａ  突片部（ガイド部）
６０、６０ａ  支持面
６０ａ１、６０ａ２  領域
Ｃ、Ｃ１、Ｃ１ａ  コネクタ
【図１】
0005906919.tif 000002
【図２】
0005906919.tif 000003
【図３】
0005906919.tif 000004
【図４】
0005906919.tif 000005
【図５】
0005906919.tif 000006
【図６】
0005906919.tif 000007
【図７】
0005906919.tif 000008
【図８】
0005906919.tif 000009